(57)【特許請求の範囲】
【請求項１】
第１の端部及び第２の端部を有する同軸ケーブルと、所定方向に延在する筒状の外導体及び該外導体内において該所定方向に延在するプローブを含み、該同軸ケーブルの該第１の端部に設けられている同軸コネクタと、該外導体及び該プローブの先端が揺動できるように該同軸コネクタが支持されているベースと、を保持できるように設けられるカセットであって、
前記ベースが取り付けられている取り付け部と、
前記同軸ケーブルの前記第１の端部及び前記第２の端部以外の中間部分の一部を保持できるように設けられている保持部と、
を備えており、
前記保持部は、前記中間部分の一部が収容されることにより、前記同軸ケーブルを保持できるように設けられている溝を含んでおり、
複数本の前記溝が前記保持部に設けられており、
前記複数本の溝の少なくとも２本における前記取り付け部から遠い方の端部が該少なくとも２本の溝の中央部から前記端部に向かう方向において、互いに異なっていること、
を特徴とするカセット。
【請求項２】
前記溝は、前記中間部分の一部との摩擦力により、前記同軸ケーブルを保持できるように設けられている内壁面を含んでいること、
を特徴とする請求項１に記載のカセット。
【請求項３】
前記取り付け部及び前記保持部は、前記所定方向に実質的に平行な主面を有する板状をなしており、
前記溝の一部は、前記取り付け部及び前記主面の法線方向から平面視したときに、弧状をなしていること、
を特徴とする請求項１又は請求項２のいずれかに記載のカセット。
【請求項４】
第１の端部及び第２の端部を有する同軸ケーブルと、
所定方向に延在する筒状の外導体及び該外導体内において該所定方向に延在するプローブを含み、前記同軸ケーブルの前記第１の端部に設けられている同軸コネクタと、
前記外導体及び前記プローブの先端が揺動できるように前記同軸コネクタが支持されているベースと、
前記ベースが取り付けられている取り付け部と、前記同軸ケーブルの前記第１の端部及び前記第２の端部以外の中間部分の一部を保持する保持部と、を有しているカセットと、
を備えており、
前記保持部は、前記中間部分の一部が収容されることにより、前記同軸ケーブルを保持できるように設けられている溝を含んでおり、
複数本の前記溝が前記保持部に設けられており、
前記複数本の溝の少なくとも２本における前記取り付け部から遠い方の端部が該少なくとも２本の溝の中央部から前記端部に向かう方向において、互いに異なっていること、
を特徴とする検査ユニット。
【発明の詳細な説明】
【技術分野】
【０００１】
本発明は、カセット及び検査ユニットに関し、より特定的には、筒状の外導体及び該外導体内を延在するプローブを備えた検査用同軸コネクタが用いられるカセット及び検査ユニットに関する。
【背景技術】
【０００２】
従来のカセットに関する発明としては、例えば、特許文献１に記載の同軸コネクタプラグが知られている。同軸コネクタプラグは、同軸ケーブルの先端に取り付けられており、外部電極体及び同軸ポストを備えている。外部電極体は、上下方向に延在する筒状をなしている。同軸ポストは、外部電極体内において上下方向に延在している。このような同軸コネクタプラグは、外部電極体及び同軸ポストの先端が揺動できるように筺体に対して取り付けられる。そして、外部電極体及び同軸ポストの先端がレセプタクルに嵌合される。【０００３】
以上のような同軸コネクタプラグでは、外部電極体及び同軸ポストの先端が筺体に対して揺動できる。これにより、外部電極体及び同軸ポストの先端が、レセプタクルに対して水平方向に僅かにずれていたとしても、レセプタクルに嵌合するようになる。具体的には、外部電極体及び同軸ポストの先端がレセプタクルに接触すると、外部電極体及び同軸ポストがレセプタクルから力を受けて傾く。これにより、外部電極体及び同軸ポストがレセプタクルに誘い込まれるようにして嵌合する。【０００４】
しかしながら、同軸コネクタプラグに接続されている同軸ケーブルが引っ張られていると、外部電極体及び同軸ポストの先端がレセプタクルに接触したとしても、外部電極体及び同軸ポストの変位が妨げられる。そのため、外部電極体及び同軸ポストとレセプタクルとの嵌合が阻害されることがあった。
【先行技術文献】
【特許文献】
【０００５】
【特許文献１】特開２００１−３３８７２１号公報
【発明の概要】
【発明が解決しようとする課題】
【０００６】
そこで、本発明の目的は、検査用同軸コネクタとレセプタクルとの間にずれがあったとしても、検査用同軸コネクタをレセプタクルに容易に嵌合させることができるカセット及び検査ユニットを提供することである。
【課題を解決するための手段】
【０００７】
本発明の一形態に係るカセットは、第１の端部及び第２の端部を有する同軸ケーブルと、所定方向に延在する筒状の外導体及び該外導体内において該所定方向に延在するプローブを含み、該同軸ケーブルの該第１の端部に設けられている同軸コネクタと、該外導体及び該プローブの先端が揺動できるように該同軸コネクタが支持されているベースと、を保持できるように設けられるカセットであって、前記ベースが取り付けられている取り付け部と、前記同軸ケーブルの前記第１の端部及び前記第２の端部以外の中間部分の一部を保持できるように設けられている保持部と、を備えており、前記保持部は、前記中間部分の一部が収容されることにより、前記同軸ケーブルを保持できるように設けられている溝を含んでおり、複数本の前記溝が前記保持部に設けられており、前記複数本の溝の少なくとも２本における前記取り付け部から遠い方の端部が該少なくとも２本の溝の中央部から前記端部に向かう方向において、互いに異なっていることを特徴とする。
【０００８】
本発明の一形態に係る検査ユニットは、第１の端部及び第２の端部を有する同軸ケーブルと、所定方向に延在する筒状の外導体及び該外導体内において該所定方向に延在するプローブを含み、前記同軸ケーブルの前記第１の端部に設けられている同軸コネクタと、前記外導体及び前記プローブの先端が揺動できるように前記同軸コネクタが支持されているベースと、前記ベースが取り付けられている取り付け部と前記同軸ケーブルの前記第１の端部及び前記第２の端部以外の中間部分の一部を保持する保持部とを有しているカセットと、を備えており、前記保持部は、前記中間部分の一部が収容されることにより、前記同軸ケーブルを保持できるように設けられている溝を含んでおり、複数本の前記溝が前記保持部に設けられており、前記複数本の溝の少なくとも２本における前記取り付け部から遠い方の端部が該少なくとも２本の溝の中央部から前記端部に向かう方向において、互いに異なっていることを特徴とする。
【発明の効果】
【０００９】
本発明によれば、検査用同軸コネクタとレセプタクルとの間にずれがあったとしても、検査用同軸コネクタをレセプタクルに容易に嵌合させることができる。
【図面の簡単な説明】
【００１０】
【図１】検査ユニット１０の外観斜視図である。
【図２】検査ユニット１０の外観斜視図である。
【図３】検査ユニット１０の一部を透視した平面図である。
【図４】ステージ１００に検査ユニット１０を取り付けた状態の外観斜視図である。
【図５】検査用同軸コネクタ１６の断面構造図である。
【図６】被検査体であるレセプタクル３０１の断面構造図である。
【図７】被検査体であるレセプタクル３０１への装着後における検査用同軸コネクタ１６の先端部分の断面構造図である。
【図８】第１の変形例に係るカセット１２ａ及び検査ユニット１０ａの外観斜視図である。
【図９】第２の変形例に係るカセット１２ｂ及び検査ユニット１０ｂの外観斜視図である。
【発明を実施するための形態】
【００１１】
以下に、本発明の一実施形態に係るカセット及び検査ユニットについて図面を参照しながら説明する。図１及び図２は、検査ユニット１０の外観斜視図である。図３は、検査ユニット１０の一部を透視した平面図である。図４は、ステージ１００に検査ユニット１０を取り付けた状態の外観斜視図である。図５は、検査用同軸コネクタ１６の断面構造図である。以下では、ステージ１００が移動する方向を上下方向と定義し、上側から平面視したときに、検査ユニット１０の長手方向を前後方向と定義し、検査ユニット１０の短手方向を左右方向と定義する。また、上下方向、前後方向及び左右方向は互いに直交している。ただし、方向の定義は一例でありこれに限らない。
【００１２】
検査ユニット１０は、図１ないし図４に示すように、カセット１２、同軸ケーブル１４、ＳＭＡ（ＳｕｂＭｉｎｉａｔｕｒｅ ｖｅｒｓｉｏｎ Ａ）コネクタ１５、検査用同軸コネクタ１６、ベース１８、ねじ１９及びコイルばね２０を備えている。
【００１３】
カセット１２は、同軸ケーブル１４、ＳＭＡコネクタ１５、検査用同軸コネクタ１６、ベース１８、ねじ１９及びコイルばね２０を保持する部材であり、ステージ１００に取り付けられる。カセット１２は、カセット本体１３、カバー３２、レバー３４、ロック爪３６及びコイルばね３８（図３参照）を備えている。
【００１４】
カセット本体１３は、左右方向に延在する法線を有する板状部材であり、左側から平面視したときに、下向きに開口する角張ったＵ字状をなしている。すなわち、カセット本体１３は、上下方向に実質的に平行な主面を有する板状部材である。カセット本体１３は、例えば、樹脂や金属等により作製される。カセット本体１３は、保持部２２、連結部２８、ロック部２９、取り付け部３０及び位置決めピン３１を備えている。
【００１５】
保持部２２は、左側から平面視したときに、上下方向に延在する互いに対向する主面を有する略矩形状をなす板状部材である。保持部２２の左側の主面である側面には、溝２４，２６が設けられている。溝２４，２６の形状は、保持部２２の側面を左側から平面視したときに、Ｙ字状をなしている。具体的には、溝２４は、保持部２２の下側の辺の前端近傍と保持部２２の前側の辺の上端近傍とを繋いでおり、後ろ側に向かって突出する弧状をなしている。溝２４の上端は前側を向いている。溝２６は、保持部２２の下側の辺の前端近傍と保持部２２の後ろ側の辺の上端近傍とを繋いでおり、前側に向かって突出する弧状をなしている。溝２６の上端は後ろ側を向いている。これにより、各溝２４，２６における取り付け部３０から遠い方の端部（すなわち、上端）が各溝２４，２６の中央部から端部に向かう方向は、互いに異なる。更に、溝２４と溝２６とは、それぞれの中間点において繋がっている。そのため、溝２４，２６は、互いに下半分を共有している。同軸ケーブル１４は溝２４，２６の共有部から引き出され、検査用同軸コネクタに接続されている。
【００１６】
ロック部２９は、左側から平面視したときに、上下方向に延在する矩形状をなす板状部材である。ただし、ロック部２９の後ろ側の長辺の中央には段差Ｄが設けられている。これにより、ロック部２９の上半分における前後方向の幅が、ロック部２９の下半分における前後方向の幅よりも大きくなっている。
【００１７】
更に、ロック部２９の左側の主面には、図３に示すように、窪みが設けられている。これにより、空間Ｓｐ１〜Ｓｐ４が形成されている。空間Ｓｐ１は、ロック部２９の前側の長辺の上半分に沿って上下方向に延在する空間である。空間Ｓｐ１の下半分は、ロック部２９の前側の長辺を介して外部と連通している。空間Ｓｐ２は、ロック部２９の後ろ側の長辺の上半分に沿って上下方向に延在する空間である。空間Ｓｐ１と空間Ｓｐ２とは、前後に並んでいる。
【００１８】
空間Ｓｐ３は、空間Ｓｐ２の下側において前後方向に延在する空間である。空間Ｓｐ４は、空間Ｓｐ１〜Ｓｐ３と連通する矩形状の空間である。具体的には、空間Ｓｐ１は、下端において空間Ｓｐ４と連通している。空間Ｓｐ２は、前下側の角近傍において空間Ｓｐ４と連通している。空間Ｓｐ３は、前端において空間Ｓｐ４と連通している。また、空間Ｓｐ４は、ロック部２９の前側の長辺を介して外部と連通している。
【００１９】
取り付け部３０は、ロック部２９の下側の短辺の前半分から下側に向かって突出する板状部材である。取り付け部３０の下面には、図２に示すように、突起６０，６２及びねじ穴６４が設けられている。
【００２０】
位置決めピン３１は、保持部２２の下側の短辺の中央から下側に向かって突出する円柱状部材である。
【００２１】
ロック爪３６は、カセット１２をステージ１００に固定するための爪であり、爪３６ａ、接触部３６ｂ及びレバー部３６ｃを含んでいる。レバー部３６ｃは、空間Ｓｐ２内において上下方向に延在しており、その上端において支持されている。これにより、レバー部３６ｃの下端は、前後方向に揺動することができる。接触部３６ｂは、Ｌ字型をなしており、具体的には、空間Ｓｐ４内において、レバー部３６ｃの下端から前側に向かって延在した後、下側に向かって延在している。爪３６ａは、接触部３６ｂの前端から前側に向かって突出している。爪３６ａは、レバー部３６ｃの下端が相対的に前側に位置しているときには、空間Ｓｐ４外に突出し、レバー部３６ｃの下端が相対的に後ろ側に位置しているときには、空間Ｓｐ４内に収まる。
【００２２】
コイルばね３８は、空間Ｓｐ３内に設けられており、接触部３６ｂに後ろ側から接触する。爪３６ａは、コイルばね３８の付勢力により、空間Ｓｐ４外に突出する。
【００２３】
レバー３４は、Ｔ字型をなしており、操作部３４ａ及び接触部３４ｂを含んでいる。接触部３４ｂは、空間Ｓｐ１内において上下方向に延在しており、空間Ｓｐ１内を上下に移動することができる。また、接触部３４ｂの下端は、接触部３６ｂの角に接触している。操作部３４ａは、接触部３４ｂの上下方向の中央から前側に突出しており、空間Ｓｐ１外に突出している。これにより、操作部３４ａが押し下げられると、接触部３４ｂの下端が下降して接触部３６ｂを左側に押す。これにより、コイルばね３８が縮んで、ロック爪３６が時計回り方向に回転する。その結果、爪３６ａが空間Ｓｐ４内に収容される。一方、操作部３４ａの押し下げが解除されて、操作部３４ａの位置が上昇すると、コイルばね３８が延びてロック爪３６が反時計回り方向に回転する。その結果、レバー３４が押し上げられ、爪３６ａが空間Ｓｐ４外に突出する。
【００２４】
カバー３２は、空間Ｓｐ１〜Ｓｐ４を左側から覆う長方形状の板状部材であり、例えば、金属等により作製される。カバー３２は、ねじによりカセット本体１３に固定されている。
【００２５】
同軸ケーブル１４は、一端（上端）と他端（下端）とを有し、図５に示すように、中心導体１４１、絶縁体１４２、外導体１４３及び被覆１４４を備えている。中心導体１４１は、同軸ケーブル１４の中心に設けられている導線である。絶縁体１４２は、中心導体１４１の周囲を覆っている。外導体１４３は、絶縁体１４２の周囲に設けられており、例えば、細い導線が編まれることにより作製されている。被覆１４４は、外導体１４３の周囲を覆う絶縁体である。
【００２６】
ＳＭＡコネクタ１５は、同軸ケーブル１４の一端（上端）に設けられており、測定機器等への接続に用いられる。
【００２７】
検査用同軸コネクタ１６は、同軸ケーブル１４の他端（下端）に設けられている。以下に、図５を参照しながら、検査用同軸コネクタ１６の詳細について説明する。
【００２８】
検査用同軸コネクタ１６は、図５に示すように、プローブ１１０、コイルばね１１２、バレル１１３、ブッシング１２０，１２３、ディスク１２１及びハウジング１２５，１２６を備えている。
【００２９】
プローブ１１０は、上下方向に延在するベリリウム銅製のピンである。プローブ１１０の上端は、プローブ１１０の残余の部分よりも太くなっている。バレル１１３は、下側に開口を有する真鍮製の筒状の部材である。バレル１１３の内部には、プローブ１１０及びコイルばね１１２が挿入されている。これにより、プローブ１１０は、下側から押さえつけられた場合、コイルばね１１２が縮んで上側に退避することができる。
【００３０】
ハウジング１２５は、導電性部材（例えば、黄銅）からなり、上下方向に延在する円筒部材である。ハウジング１２５の上端及び下端には開口が設けられている。また、ハウジング１２５の側面の上端近傍には、孔が設けられている。孔には、同軸ケーブル１４の先端が挿入されている。そして、同軸ケーブル１４の中心導体１４１は、バレル１１３の上端にはんだ付けされている。プローブ１１０の上端近傍の外周面は、バレル１１３の円筒部分の内周面に接触しているので、プローブ１１０と中心導体１４１とがバレル１１３を介して電気的に接続されている。また、外導体１４３は、ハウジング１２５に接続されている。
【００３１】
ハウジング１２６は、圧入部１２６ａ、フランジ１２６ｂ及び先端部１２６ｃを含んでいる。圧入部１２６ａは、上下方向に延在する円筒状の部材である。圧入部１２６ａの外周面の半径は、ハウジング１２５の内周面の半径と実質的に等しい。そして、圧入部１２６ａは、ハウジング１２５に対して下側から圧入される。先端部１２６ｃは、上下方向に延在する円筒状の部材であり、外導体である。先端部１２６ｃの外周面の直径は、圧入部１２６ａの外周面の直径よりも小さい。先端部１２６ｃは、圧入部１２６ａの下端から下側に向かって延在している。フランジ１２６ｂは、圧入部１２６ａの下端から前後左右方向に張り出している円盤状の部材である。
【００３２】
ディスク１２１は、円盤状の部材であり、ハウジング１２５の上側の開口をふさぐように設けられている。
【００３３】
ブッシング１２０は、樹脂等の絶縁体からなる筒状体であり、上部１２０ａ及び下部１２０ｂを含んでいる。上部１２０ａは、相対的に大きな直径を有する円筒状をなす部材である。下部１２０ｂは、相対的に小さな直径を有する円筒状をなす部材である。下部１２０ｂは、上部１２０ａの下端から下側に向かって延在している。プローブ１１０及びバレル１１３は、ブッシング１２０に対して上側から挿入されて固定されている。また、ブッシング１２０の先端からは、プローブ１１０の先端が突出している。
【００３４】
更に、プローブ１１０及びバレル１１３が挿入されたブッシング１２０は、ハウジング１２６に上側から挿入されて固定されている。ブッシング１２０は絶縁体により構成されているので、プローブ１１０とハウジング１２６とは絶縁されている。また、プローブ１１０は、ハウジング１２５の先端部１２６ｃ内を上下方向に延在していると共に、該先端部１２６ｃから突出している。
【００３５】
ブッシング１２３は、樹脂等の絶縁体からなる円盤状の部材であり、バレル１１３とディスク１２１との間に設けられている。
【００３６】
以上のように構成された検査用同軸コネクタ１６は、プローブ１１０及び先端部１２６ｃの下端が前後左右方向に揺動できるように、ベース１８に取り付けられる。より詳細には、ベース１８は、下側から平面視したときに、前後方向に延在する長方形状の板状部材である。ベース１８は、例えば、金属等により作製されている。また、図５に示すように、ベース１８の後ろ半分の領域には、円形の孔Ｈ１が設けられている。また、ベース１８の前後方向の中央には、左右に並ぶ２個の孔（図２では、１つのみ図示）が設けられている。更に、ベース１８の前半分の領域には、円形の孔Ｈ２が設けられている。
【００３７】
ハウジング１２５は、孔Ｈ１内を上下方向に貫通している。ただし、孔Ｈ１の直径は、孔Ｈ１とハウジング１２５の外周面とが隙間を有するように、ハウジング１２５の外周面の直径よりも大きく設けられている。この隙間の存在により、プローブ１１０及び先端部１２６ｃの下端は、ベース１８に対して前後左右方向に揺動できる。
【００３８】
また、コイルばね２０は、ベース１８の下面とフランジ１２６ｂの上面との間に設けられている。これにより、検査用同軸コネクタ１６に力が加わっていない状態において、プローブ１１０及び先端部１２６ｃがベース１８に対して直交する方向（すなわち、上下方向）に延在する状態が維持される。
【００３９】
ベース１８は、前後方向の中央に設けられた２つの孔に突起６０，６２が挿入されるように、取り付け部３０の下面に取り付けられる。これにより、ベース１８の孔Ｈ２とねじ穴６４とが一致する。そして、ねじ１９が、孔Ｈ２及びねじ穴６４に挿入される。これにより、ベース１８が取り付け部３０に固定される。このとき、検査用同軸コネクタ１６は、ベース１８とロック部２９の下面と取り付け部３０の後面とに囲まれた空間内に位置している。また、同軸ケーブル１４は、検査用同軸コネクタ１６から後ろ側に向かって引き出されている。
【００４０】
また、同軸ケーブル１４は、カセット１２に設けられる溝２４に収容されることにより、その両端以外の中間部分の一部において保持部２２に保持される。より詳細には、同軸ケーブル１４の両端の一方側である上端は、カセット１２の取り付け部の上方から距離を隔て、溝２４の上端から前側に向かって引き出されている。溝２４の上端は、取り付け部から後側に距離を隔てた位置のカセット１２の上側に設けられている。溝２４の下端は、取り付け部から後側に距離を隔てた位置のカセット１２の下側に設けられている。溝２４の上端と下端とはカセット１２の側面に連続した弧状の溝によって接続されている。また、同軸ケーブル１４の両端のもう一方側である下端は、溝２４の下端から前側に向かって引き出されている。同軸ケーブル１４の中間部分における溝２４の下端から引き出された部分から同軸ケーブル１４における下端までの間には、同軸ケーブル１４に保持部によって保持されてない弛緩部が形成されている。同軸ケーブル１４の下端は、検査用同軸コネクタと接続されている。そして、同軸ケーブル１４は、中間部分の一部と溝２４の内壁面との摩擦力により保持部２２に、同軸ケーブル１４の弛緩部の曲率と溝２４の弧との曲率の差が小さくなるように保持される。同軸ケーブル１４が上端へ向かう方向と、同軸ケーブル１４の下端へ向かう方向とは、溝２４の上端と下端とで互いに逆向きである。
【００４１】
以上のように構成された検査ユニット１０は、ステージ１００に取り付けられる。ステージ１００は、上下方向に延在する法線を有しており、互いに対向する主面を備える板状部材である。ステージ１００は、検査システムの一部を構成しており、図示しないステージ１００に連結された駆動装置により、ステージ１００の位置が上下方向に往復移動させられる。また、ステージ１００には、図１に示すように、孔１０２，１０４，１０６が設けられている。孔１０６は、丸孔であり、ステージ１００を上下方向に貫通している。孔１０２は、孔１０６よりも前側に設けられており、矩形状の孔であり、ステージ１００を上下方向に貫通している。孔１０４は、前後方向に長手方向を有する細長い矩形状の孔であり、ステージ１００を上下方向に貫通している。孔１０４の前端は、孔１０２と繋がっている。
【００４２】
検査ユニット１０を構成するカセット１２は、ステージ１００に対して以下に説明するように取り付けられる。具体的には、カセット１２のロック部２９が孔１０２に対してステージ１００の上側から挿入される。この際、爪３６ａは、孔１０２の内周面により後ろ側に押されて空間Ｓｐ４内に収容される。更に、位置決めピン３１が孔１０６に挿入される。位置決めピン３１により、カセット１２がステージ１００に対して前後左右方向において位置決めされる。
【００４３】
カセット１２がステージ１００に対して更に下降させられる。これにより、ステージ１００の上面が保持部２２の下面及びロック部２９の段差Ｄに接触する。その結果、カセット１２がステージ１００に対して上下方向において位置決めされる。更に、爪３６ａが、ステージ１００の下面よりも下側に到達し、空間Ｓｐ４外に突出する。これにより、爪３６ａがステージ１００の下面に係合する。その結果、カセット１２がステージ１００に固定される。
【００４４】
なお、カセット１２をステージ１００から取り外す場合には、レバー３４が押し下げられる。これにより、爪３６ａが、空間Ｓｐ４外に突出された状態から、空間Ｓｐ４内に収容された状態に変化する。そして、爪３６ａによる係合が解除された状態となり、カセット１２を上側に引き上げてステージ１００から取り外すことができる。
【００４５】
（検査ユニット１０の動作）
次に、検査ユニット１０の動作について図６及び図７を参照して説明する。図６は、被検査体であるレセプタクル３０１の断面構造図である。図７は、被検査体であるレセプタクル３０１への装着後における検査用同軸コネクタ１６の先端部分の断面構造図である。
【００４６】
まず、レセプタクル３０１について説明する。レセプタクル３０１は、例えば、携帯電話のアンテナと送受信回路との間に設けられるスイッチ付同軸コネクタであり、ケース３０３、外部導体３０５、固定端子３０６及び可動端子３０７を備えている。固定端子３０６はアンテナに接続され、可動端子３０７は送受信回路に接続される。
【００４７】
まず、検査用同軸コネクタ１６がレセプタクル３０１に装着されていない状態について説明する。レセプタクル３０１では、図６に示すように、固定端子３０６と可動端子３０７とが接触しているので、アンテナと送受信回路とが接続されている。
【００４８】
次に、検査用同軸コネクタ１６がレセプタクル３０１に装着された状態について説明する。セットメーカーが携帯電話の送受信回路の電気特性をチェックする場合には、ステージ１００が駆動装置により下降させられることにより、図７に示すように、測定装置が接続されたプローブ１１０が上側から下側へとケース３０３の孔３０４に挿入される。これにより、可動端子３０７がプローブ１１０により下側に押される。その結果、固定端子３０６と可動端子３０７とが離れると共に、プローブ１１０と可動端子３０７とが接続され、送受信回路と測定器とが接続されるようになる。この際、可動端子３０７からの反発力によりコイルばね１１２が縮んでプローブ１１０が上側に退避する。これにより、可動端子３０７の破損が防止されている。
【００４９】
また、図７の状態において、外部導体３０５が先端部１２６ｃ内に挿入される。これにより、検査用同軸コネクタ１６は、レセプタクル３０１に嵌合する。
【００５０】
（効果）
以上のように構成されたカセット１２及び検査ユニット１０によれば、検査用同軸コネクタ１６とレセプタクル３０１との間にずれがあったとしても、検査用同軸コネクタ１６をレセプタクル３０１に嵌合させることができる。より詳細には、カセット１２は、同軸ケーブル１４の両端以外の部分を保持している。これにより、ＳＭＡコネクタ１５が引っ張られたとしても、引張力が検査用同軸コネクタ１６に伝わることが抑制される。したがって、プローブ１１０及び先端部１２６ｃの下端が前後左右方向に揺動できる。その結果、検査用同軸コネクタ１６とレセプタクル３０１との間にずれがあったとしても、検査用同軸コネクタ１６をレセプタクル３０１に嵌合させることができる。
【００５１】
また、カセット１２及び検査ユニット１０によれば、同軸ケーブル１４が保持部２２により確実に保持される。より詳細には、同軸ケーブル１４は、同軸ケーブル１４の中間部分の一部と溝２４の内壁面と間の摩擦力により保持部２２に保持されている。溝２４は、左側から平面視したときに、半円の弧状をなしている。そのため、同軸ケーブル１４の中間部分の一部と溝２４の内壁面との間には、複数方向に摩擦力が発生するようになる。その結果、同軸ケーブル１４の上端が引っ張られたとしても、同軸ケーブル１４の中間部分の一部が溝２４内において容易に移動しなくなる。
【００５２】
また、カセット１２及び検査ユニット１０によれば、溝２４に収容されることにより、同軸ケーブル１４が保持部２２に保持されている。したがって、同軸ケーブル１４を挟む溝２４の内壁面の伸びる方向に沿って、同軸ケーブル１４が溝２４から引っ張られる、または溝２４に押し込まれることで、同軸ケーブル１４を保持部２２に対して容易に着脱できる。
【００５３】
また、カセット１２及び検査ユニット１０によれば、カセット１２の前側に測定装置が設けられている場合であっても、カセット１２の後ろ側に測定装置が設けられている場合であっても、同軸ケーブル１４を測定装置に容易に接続することができる。より詳細には、２本の溝２４，２６における取り付け部３０から遠い方の端部（すなわち、上端）の方向は、互いに異なる方向を向いている。溝２４の上端は、前側を向いており、溝２６の上端は、後ろ側を向いている。これにより、溝２４内に同軸ケーブル１４が収容された場合には、同軸ケーブル１４は、溝２４の上端から前側に引き出されるようになる。したがって、カセット１２の前側に設けられた測定装置に対して同軸ケーブル１４を接続することが容易である。一方、溝２６内に同軸ケーブル１４が収容された場合には、同軸ケーブル１４は、溝２６の上端から後ろ側に引き出されるようになる。したがって、カセット１２の後ろ側に設けられた測定装置に対して同軸ケーブル１４を接続することが容易である。また、測定装置の位置に応じて溝２４，２６を使い分けることによって、同軸ケーブル１４を小さく曲げることなく直線的に測定装置に接続することが可能となる。その結果、同軸ケーブル１４に損傷が発生することが抑制され、挿入損失の悪化が抑制される。特に、外導体１４３が金属箔により作製されている場合には、同軸ケーブル１４の曲げによって外導体１４３に割れ等の損傷が発生しやすい。したがって、複数の溝２４，２６が設けられることは、金属箔の外導体１４３を有する同軸ケーブル１４の損傷防止に特に有効である。なお、３本以上の溝を設けることで、同軸ケーブル１４の引き出し位置の選択肢を増やすことができる。
【００５４】
また、カセット１２及び検査ユニット１０では、複数の検査ユニット１０を左右方向に重ねて使用することができる。この場合において、カセット１２及び検査ユニット１０によれば、隣り合う検査用同軸コネクタ１６の間隔を小さくできる。より詳細には、検査ユニット１０では、板状のベース１８に検査用同軸コネクタ１６が取り付けられている。そのため、検査用同軸コネクタ１６において最も太い部分であるハウジング１２５の前後左右には、ベース１８が存在しない。したがって、ベース１８の左右方向の幅を検査用同軸コネクタ１６の左右方向の幅に近づけることができる。したがって、複数の検査ユニット１０を左右方向に重ねて使用した場合に、左右方向に隣り合う検査用同軸コネクタ１６同士の間隔を小さくできる。また、隣り合うカセット１２間にスペーサを配置することにより、隣り合う検査用同軸コネクタ１６の間隔を調整することができる。
【００５５】
また、カセット１２及び検査ユニット１０によれば、ねじ１９によりベース１８がカセット本体１３に取り付けられている。したがって、同軸ケーブル１４、検査用同軸コネクタ１６及びベース１８を容易にカセット本体１３に取り付けたり外したりできる。
【００５６】
また、カセット１２及び検査ユニット１０によれば、ねじなどが用いられることなくステージ１００に検査ユニット１０が固定される。よって、ステージ１００に検査ユニット１０を容易に着脱できるようになる。
【００５７】
（第１の変形例）
以下に第１の変形例に係るカセット１２ａ及び検査ユニット１０ａについて図面を参照しながら説明する。図８は、第１の変形例に係るカセット１２ａ及び検査ユニット１０ａの外観斜視図である。
【００５８】
検査ユニット１０ａは、同軸ケーブル１４の保持の仕方において、検査ユニット１０と相違する。より詳細には、検査ユニット１０では、保持部２２には、溝２４が設けられていた。そして、同軸ケーブル１４は、溝２４に収容されることにより、保持部２２に保持されていた。
【００５９】
一方、検査ユニット１０ａでは、保持部２２は、ロック部２９から後ろ側へと延在する棒状部材である。また、棒状部材の後端には、丸孔が設けられており、同軸ケーブル１４が丸孔を通過している。これにより、同軸ケーブル１４が保持部２２に保持されている。
【００６０】
以上のような構成を有するカセット１２ａ及び検査ユニット１０ａにおいても、カセット１２及び検査ユニット１０ａと同じ作用効果を奏することができる。
【００６１】
（第２の変形例）
以下に第２の変形例に係るカセット１２ｂ及び検査ユニット１０ｂについて図面を参照しながら説明する。図９は、第２の変形例に係るカセット１２ｂ及び検査ユニット１０ｂの外観斜視図である。
【００６２】
検査ユニット１０ｂは、ベース１８の形状及び取り付け部３０の形状において検査ユニット１０と相違する。より詳細には、ベース１８は、円筒状をなしており、ハウジング１２５の周囲を囲んでいる。また、取り付け部３０は、円筒状のベース１８の上面及び底面を挟むように保持している。
【００６３】
以上のような構成を有するカセット１２ｂ及び検査ユニット１０ｂにおいても、カセット１２及び検査ユニット１０と同じ作用効果を奏することができる。
【００６４】
カセット１２ｂ及び検査ユニット１０ｂでは、ベース１８を取り付け部３０に固定する際に、ねじが用いられないので、ベース１８を取り付け部３０により容易に着脱できる。
【００６５】
（その他の実施形態）
本発明に係るカセット及び検査ユニットは、カセット１２，１２ａ，１２ｂ及び検査ユニット１０，１０ａ，１０ｂに限らずその要旨の範囲内において変更可能である。
【００６６】
なお、カセット１２，１２ａ，１２ｂ及び検査ユニット１０，１０ａ，１０ｂの構成を任意に組み合わせてもよい。
【産業上の利用可能性】
【００６７】
本発明は、カセット及び検査ユニットに有用であり、特に、検査用同軸コネクタとレセプタクルとの間にずれがあったとしても、検査用同軸コネクタをレセプタクルに嵌合させることができる点において優れている。
【符号の説明】
【００６８】
１０，１０ａ，１０ｂ：検査ユニット
１２，１２ａ，１２ｂ：カセット
１３：カセット本体
１４：同軸ケーブル
１６：検査用同軸コネクタ
１８：ベース
１９：ねじ
２０，３８：コイルばね
２２：保持部
２４，２６：溝
２８：連結部
２９：ロック部
３０：取り付け部
３１：位置決めピン
３２：カバー
３４：レバー
３６：ロック爪
１００：ステージ
１１０：プローブ
１２０，１２３：ブッシング
１２５，１２６：ハウジング
１２６ａ：圧入部
１２６ｂ：フランジ
１２６ｃ：先端部
【図１】
0006447635.tif 000002
【図２】
0006447635.tif 000003
【図３】
0006447635.tif 000004
【図４】
0006447635.tif 000005
【図５】
0006447635.tif 000006
【図６】
0006447635.tif 000007
【図７】
0006447635.tif 000008
【図８】
0006447635.tif 000009
【図９】
0006447635.tif 000010